(57)【要約】【課題】画面メモを用いずにスクリーンショットを表示するための技術を提供する。【解決手段】遠隔操作装置１は、録画再生装置２での録画中に、操作部１１のスクリーンショット終了ボタン（図示せず）が操作されたなら、チャプター書き込み信号を録画再生装置２に送信し、送信後に停止信号を送信する。遠隔操作装置１は、操作部１１のスクリーンショット再生ボタン（図示せず）が操作されたなら、再生信号を録画再生装置２に送信し、送信後、再生一時停止信号の送信、Ｘ秒経過後における再生信号の送信、Ｙ秒経過後におけるスキップ信号の送信を、操作部１１の停止ボタン（図示せず）が操作されるまで繰り返し行う。【選択図】図１
2016076906.tif 000002
【特許請求の範囲】
【請求項１】
録画再生装置を信号で遠隔で操作する遠隔操作装置の動作方法であって、
前記録画再生装置は、チャプター書き込み信号を受信したなら、録画中の映像にチャプター開始点を書き込み、停止信号を受信したなら録画を停止し、再生信号を受信したなら映像の再生を開始し、再生一時停止信号を受信したなら再生を一時停止し、スキップ信号を受信したなら受信時に再生されている点より後の最初のチャプター開始点まで再生をスキップするものであり、
前記遠隔操作装置は、
スクリーンショット終了ボタン、スクリーンショット再生ボタン、停止ボタンを備え、
前記動作方法は、
前記遠隔操作装置が、前記録画再生装置での録画中に前記スクリーンショット終了ボタンが操作されたなら、前記チャプター書き込み信号を前記録画再生装置に送信し、送信後に前記停止信号を前記録画再生装置に送信し、
前記遠隔操作装置が、前記スクリーンショット再生ボタンが操作されたなら、前記再生信号を前記録画再生装置に送信し、
前記遠隔操作装置が、前記再生一時停止信号を前記録画再生装置に送信する第１ステップと、前記遠隔操作装置が、予め定められた時間経過後に前記再生信号を前記録画再生装置に送信する第２ステップと、前記遠隔操作装置が、予め定められた時間経過後に前記スキップ信号を前記録画再生装置に送信する第３ステップとを、前記第１ステップ、前記第２ステップ、前記第３ステップの順で、前記停止ボタンが操作されるまで繰り返し行う
ことを特徴とする遠隔操作装置の動作方法。
【請求項２】
録画再生装置を信号で遠隔で操作する遠隔操作装置であって、
前記録画再生装置は、チャプター書き込み信号を受信したなら、録画中の映像にチャプター開始点を書き込み、停止信号を受信したなら録画を停止し、再生信号を受信したなら映像の再生を開始し、再生一時停止信号を受信したなら再生を一時停止し、スキップ信号を受信したなら受信時に再生されている点より後の最初のチャプター開始点まで再生をスキップするものであり、
前記遠隔操作装置は、
スクリーンショット終了ボタン、スクリーンショット再生ボタン、停止ボタンと、
前記録画再生装置での録画中に前記スクリーンショット終了ボタンが操作されたなら、前記チャプター書き込み信号を前記録画再生装置に送信し、送信後に前記停止信号を前記録画再生装置に送信する手段と、
前記スクリーンショット再生ボタンが操作されたなら、前記再生信号を前記録画再生装置に送信する手段と、
前記再生一時停止信号を前記録画再生装置に送信する第１ステップと、予め定められた時間経過後に前記再生信号を前記録画再生装置に送信する第２ステップと、予め定められた時間経過後に前記スキップ信号を前記録画再生装置に送信する第３ステップとを、前記第１ステップ、前記第２ステップ、前記第３ステップの順で、前記停止ボタンが操作されるまで繰り返し行う手段と
を備えることを特徴とする遠隔操作装置。
【請求項３】
請求項２記載の遠隔操作装置としてコンピュータを機能させるためのコンピュータプログラム。
【発明の詳細な説明】
【技術分野】
【０００１】
本発明は、遠隔操作装置の動作方法、遠隔操作装置およびコンピュータプログラムに関するものである。
【背景技術】
【０００２】
一部のテレビに搭載されている画面メモ機能は、テレビ番組を観賞しているときに、「静止」ボタンを押すことで、番組の静止画（スクリーンショットなどともいう）をメモリーカードに記録したり、画面に表示したりする機能であり、例えば料理のレシピや、懸賞の応募先を気軽にスクリーンショットで保存することができる（非特許文献１）。
【先行技術文献】
【非特許文献】
【０００３】
【非特許文献１】「画面メモ」、［ｏｎｌｉｎｅ］、Panasonic、［平成２６年９月２９日検索］、インターネット＜ＵＲＬ：http://panasonic.jp/support/tv/manual/em1/C3X3G3S3/633.php?P42S3＞
【発明の概要】
【発明が解決しようとする課題】
【０００４】
しかしながら画面メモ機能を搭載したテレビの種類は少なく、多くのテレビではスクリーンショットを見ることができない。
【０００５】
本発明は、上記の課題に鑑みてなされたものであり、その目的とするところは、画面メモ機能を用いずにスクリーンショットを表示する技術を提供することにある。
【課題を解決するための手段】
【０００６】
上記の課題を解決するために、第１の本発明は、録画再生装置を信号で遠隔で操作する遠隔操作装置の動作方法であって、前記録画再生装置は、チャプター書き込み信号を受信したなら、録画中の映像にチャプター開始点を書き込み、停止信号を受信したなら録画を停止し、再生信号を受信したなら映像の再生を開始し、再生一時停止信号を受信したなら再生を一時停止し、スキップ信号を受信したなら受信時に再生されている点より後の最初のチャプター開始点まで再生をスキップするものであり、前記遠隔操作装置は、スクリーンショット終了ボタン、スクリーンショット再生ボタン、停止ボタンを備え、前記動作方法は、前記遠隔操作装置が、前記録画再生装置での録画中に前記スクリーンショット終了ボタンが操作されたなら、前記チャプター書き込み信号を前記録画再生装置に送信し、送信後に前記停止信号を前記録画再生装置に送信し、前記遠隔操作装置が、前記スクリーンショット再生ボタンが操作されたなら、前記再生信号を前記録画再生装置に送信し、前記遠隔操作装置が、前記再生一時停止信号を前記録画再生装置に送信する第１ステップと、前記遠隔操作装置が、予め定められた時間経過後に前記再生信号を前記録画再生装置に送信する第２ステップと、前記遠隔操作装置が、予め定められた時間経過後に前記スキップ信号を前記録画再生装置に送信する第３ステップとを、前記第１ステップ、前記第２ステップ、前記第３ステップの順で、前記停止ボタンが操作されるまで繰り返し行うことを特徴とする。
【０００７】
第２の本発明は、録画再生装置を信号で遠隔で操作する遠隔操作装置であって、前記録画再生装置は、チャプター書き込み信号を受信したなら、録画中の映像にチャプター開始点を書き込み、停止信号を受信したなら録画を停止し、再生信号を受信したなら映像の再生を開始し、再生一時停止信号を受信したなら再生を一時停止し、スキップ信号を受信したなら受信時に再生されている点より後の最初のチャプター開始点まで再生をスキップするものであり、前記遠隔操作装置は、スクリーンショット終了ボタン、スクリーンショット再生ボタン、停止ボタンと、前記録画再生装置での録画中に前記スクリーンショット終了ボタンが操作されたなら、前記チャプター書き込み信号を前記録画再生装置に送信し、送信後に前記停止信号を前記録画再生装置に送信する手段と、前記スクリーンショット再生ボタンが操作されたなら、前記再生信号を前記録画再生装置に送信する手段と、前記再生一時停止信号を前記録画再生装置に送信する第１ステップと、予め定められた時間経過後に前記再生信号を前記録画再生装置に送信する第２ステップと、予め定められた時間経過後に前記スキップ信号を前記録画再生装置に送信する第３ステップとを、前記第１ステップ、前記第２ステップ、前記第３ステップの順で、前記停止ボタンが操作されるまで繰り返し行う手段とを備えることを特徴とする。
【０００８】
第３の本発明は、第２の本発明の遠隔操作装置としてコンピュータを機能させるためのコンピュータプログラムである。
【発明の効果】
【０００９】
本発明によれば、画面メモ機能を用いずにスクリーンショットを表示することができる。
【図面の簡単な説明】
【００１０】
【図１】本実施の形態に係る遠隔操作装置の構成を示す図である。
【図２】操作部１１を構成するボタンの配置例を示す図である。
【図３】遠隔操作装置１におけるスクリーンショット記録の流れを示すフローチャートである。
【図４】遠隔操作装置１におけるスクリーンショット再生およびその前後の流れを示すフローチャートである。
【図５】スクリーンショット再生（Ｓ１７）の流れを示すフローチャートである。
【図６】スクリーンショット再生の具体例を示すタイミングチャートである。
【図７】他のボタンによる動作を示すフローチャートである。
【発明を実施するための形態】
【００１１】
以下、本発明の実施の形態について図面を参照して説明する。
【００１２】
図１は、本実施の形態に係る遠隔操作装置の構成を示す図である。
【００１３】
遠隔操作装置１は、録画再生装置２を信号で遠隔で操作する装置であり、録画再生装置２は、表示装置３（テレビジョン受像機など）に接続される。なお、表示装置３の筐体に録画再生装置２が含まれていてもよい。
【００１４】
遠隔操作装置１は、複数のボタンからなる操作部１１と、赤外線信号を録画再生装置２に送信するための赤外線ＬＥＤ等からなる赤外線送信部１２と、ＲＯＭ（１４１）に格納されたリモコンデータから、操作されたボタンに対応するリモコンコードを生成して赤外線送信部１２に供給し、リモコンコードに対応する赤外線信号を送信させる赤外線信号変換部１３と、リモコンデータならびに遠隔操作装置１において実行可能なスクリーンショット再生機能を担う組み合わせコード送信部１４１１を有するＲＯＭ１４１、フラッシュメモリ１４２、ＣＰＵ１４３を含む制御部１４と、各部に電源を供給する電源供給部１５とを備える。
【００１５】
録画再生装置２は、映像、例えば、テレビ番組を表示装置３に表示し、また録画ならびに表示装置３への再生を行うものである。なお、映像は音声を伴うものでなくてもよい。
【００１６】
このような映像を時間で分割した場合の各映像部分をチャプターという。チャプターで最初に表示される映像（画像）を本実施の形態ではチャプター開始点という語で示す。録画中または再生中の映像やチャプターにチャプター開始点を書き込んだ場合、映像やチャプターはチャプター開始点までチャプターとチャプター開始点と以降のチャプターに２分割される。このようにチャプター開始点を書き込んでいくことにより、映像は２以上のチャプターに分割される。なお、映像がチャプターに分割された場合、当初の映像の先頭（映像開始点）は、チャプター開始点であることとする。
【００１７】
図２は、操作部１１を構成するボタンの配置例を示す図である。
【００１８】
操作部１１は、電源ボタンＡ、入力選択ボタンＢ、チャンネル切り替えボタンＣ、チャンネルボタンＤ、スクリーンショット開始ボタンＥ、スクリーンショットボタンＦ、ポーズボタンＧ、スクリーンショット再生ボタンＨ、停止ボタンＪ、スクリーンショット終了ボタンＫ、録画一覧ボタンＬ、上方向ボタンＭＵ、下方向ボタンＭＤ、右方向ボタンＭＲ、左方向ボタンＭＬ、設定ボタンＰを備える。
【００１９】
本実施の形態では、録画再生装置２は、遠隔操作装置１から映像録画信号を受信したなら、映像の録画を開始し、停止信号を受信したなら、その際に実行中の録画または再生を停止（終了）し、チャプター書き込み信号を受信したなら、その際に録画中または再生中の映像にチャプター開始点を書き込むようになっていることとする。
【００２０】
また、録画再生装置２は、録画一覧表示信号を受信したなら、録画した映像を一覧表示し、映像選択信号を受信したなら、対応する映像を選択し、再生信号（以下、第１再生信号という）を受信したなら、選択された映像を映像開始点（先頭）から再生し、再生一時停止信号を受信したなら、映像の再生を一時停止するようになっていることとする。
【００２１】
また、録画再生装置２は、別の再生信号（以下、第２再生信号という）を受信したなら、一時停止した映像の再生を再開し、スキップ信号を受信したなら受信時に再生されている点より後の最初のチャプター開始点まで再生をスキップし、コマ送り信号を受信したなら映像を１コマ（フレーム）送り、コマ戻し信号を受信したなら映像を１コマ（フレーム）戻るようになっていることとする。
【００２２】
また、録画再生装置２は、映像を終了点（映像終了点）まで再生したら映像の開始点（映像開始点）から再び、再生を開始し、こうして映像を繰り返し再生するようになっていることとする。
【００２３】
また、チャプター開始点を自動で書き込む機能が録画再生装置２に備わっている場合、この機能は解除しておくこととする。
【００２４】
図３は、遠隔操作装置１におけるスクリーンショット記録の流れを示すフローチャートである。
【００２５】
遠隔操作装置１は、スクリーンショット開始ボタンＥが操作されると、録画再生装置２に映像録画信号を送信する（Ｓ１）。これにより、録画再生装置２は、例えば、現在選択されている番組の録画を開始する。
【００２６】
次に、遠隔操作装置１は、スクリーンショットボタンＦが操作されたか否かを判定する（Ｓ２）。
【００２７】
遠隔操作装置１は、スクリーンショットボタンＦが操作されたと判定したなら（Ｓ２：Ｙ）、録画再生装置２にチャプター書き込み信号を送信する（Ｓ３）。これにより、録画再生装置２は、録画中の映像にチャプター開始点を書き込む。
【００２８】
遠隔操作装置１は、スクリーンショットボタンＦが操作されていないと判定したなら（Ｓ２：Ｎ）、または、録画再生装置２にチャプター書き込み信号を送信したなら（Ｓ３）、スクリーンショット終了ボタンＫが操作されたか否かを判定し（Ｓ４）、操作されていないと判定したなら（Ｓ４：Ｎ）、ステップＳ２に戻る。
【００２９】
遠隔操作装置１は、スクリーンショット終了ボタンＫが操作されたと判定したなら（Ｓ４：Ｙ）、録画再生装置２にチャプター書き込み信号を送信する（Ｓ５）。これにより、録画再生装置２は、録画中の映像にチャプター開始点を書き込む。
【００３０】
遠隔操作装置１は、次に、録画再生装置２に停止信号を送信し（Ｓ６）、終了する。停止信号により、録画再生装置２は録画を停止（終了）する。
【００３１】
図４は、遠隔操作装置１におけるスクリーンショット再生およびその前後の流れを示すフローチャートである。
【００３２】
遠隔操作装置１は、録画一覧ボタンＬが操作されたなら、録画再生装置２に録画一覧表示信号を送信する（Ｓ１１）。これにより、録画再生装置２は、録画した映像を表示装置３に一覧表示する。
【００３３】
遠隔操作装置１は、次に、上方向ボタンＭＵや下方向ボタンＭＤが操作されたなら（Ｓ１３）、録画再生装置２に対し、例えば、反転表示されている映像名の映像を示す映像選択信号を送信する（Ｓ１５）。これにより、録画再生装置２は、対応する映像を選択する。
【００３４】
遠隔操作装置１は、次に、スクリーンショット再生を開始する（Ｓ１７）。
【００３５】
図５は、スクリーンショット再生（Ｓ１７）の流れを示すフローチャートである。
【００３６】
遠隔操作装置１は、スクリーンショット再生ボタンＨの操作を待機し、操作があったなら、録画再生装置２に第１再生信号を送信する（Ｓ１７１）。これにより、録画再生装置２は、選択された映像を表示装置３において映像開始点（先頭）から再生する。
【００３７】
次に、遠隔操作装置１は、録画再生装置２に再生一時停止信号を送信する（Ｓ１７２）。これにより、録画再生装置２は、映像の再生を一時停止する。
【００３８】
次に、遠隔操作装置１は、予め設定された時間（以下、Ｘ秒という）だけ待機する（Ｓ１７３）。これにより、一時停止した映像（画像）がＸ秒（例えば、１〜１２秒）表示される。
【００３９】
待機後、遠隔操作装置１は、録画再生装置２に第２再生信号を送信する（Ｓ１７４）。これにより、録画再生装置２は、一時停止した映像の再生を再開する。
【００４０】
次に、予め設定された時間（以下、Ｙ秒という）だけ待機する（Ｓ１７５）。これにより、一時停止した映像の再生が再開され、Ｙ秒（例えば、１秒）再生される。
【００４１】
次に、遠隔操作装置１は、録画再生装置２にスキップ信号を送信し（Ｓ１７６）、ステップＳ１７２に戻る。スキップ信号により、録画再生装置２は、受信時に再生されている点より後の最初のチャプター開始点まで再生をスキップする。
【００４２】
なお、Ｙ秒の再生中に映像終了点に達したなら、映像開始点から再び、再生が開始される。
【００４３】
図４に戻り、遠隔操作装置１は、スクリーンショット再生の開始後、停止ボタンＪが操作されたか否かを判定する（Ｓ２１）。
【００４４】
遠隔操作装置１は、停止ボタンＪが操作されていないと判定したなら（Ｓ２１：Ｎ）、ポーズボタンＧが操作されたか否かを判定し（Ｓ２３）、操作されていないと判定したなら（Ｓ２３：Ｎ）、ステップＳ２３を繰り返す。
【００４５】
遠隔操作装置１は、ポーズボタンＧが操作されたと判定したなら（Ｓ２３：Ｙ）、録画再生装置２に対し、図５のステップＳ１７４の後（第２再生信号の送信後）のタイミングで、再生一時停止信号を送信する（Ｓ２５）。これにより、録画再生装置２は、映像がＹ秒の再生中なら再生を一時停止する。
【００４６】
遠隔操作装置１は、次に、右方向ボタンＭＲまたは左方向ボタンＭＬが操作されたか否かを判定する（Ｓ３１）。遠隔操作装置１は、右方向ボタンＭＲが操作されたと判定したなら（Ｓ３１：Ｙ）、録画再生装置２にコマ送り信号を送信する（Ｓ３３）。これにより、録画再生装置２は映像を１コマ（フレーム）送る。遠隔操作装置１は、左方向ボタンＭＬが操作されたと判定したなら（Ｓ３１：Ｙ）、録画再生装置２にコマ戻し信号を送信する（Ｓ３３）。これにより、録画再生装置２は映像を１コマ（フレーム）戻す。
【００４７】
遠隔操作装置１は、右方向ボタンＭＲと左方向ボタンＭＬのいずれも操作されていないと判定したなら（Ｓ３１：Ｎ）、または、コマ送り信号またはコマ戻し信号を送信したなら（Ｓ３３）、スクリーンショット再生ボタンＨが操作されたか否かを判定し（Ｓ４１）、操作されたと判定したなら（Ｓ４１：Ｙ）、ステップＳ１７（スクリーンショット再生の開始）に戻る。
【００４８】
遠隔操作装置１は、スクリーンショット再生ボタンＨが操作されていないと判定したなら（Ｓ４１：Ｎ）、スクリーンショットボタンＦが操作されたか否かを判定する（Ｓ５１）。
【００４９】
遠隔操作装置１は、スクリーンショットボタンＦが操作されたと判定したなら（Ｓ５１：Ｙ）、録画再生装置２にチャプター書き込み信号を送信する（Ｓ５３）。これにより、録画再生装置２は、映像がＹ秒の再生中なら映像にチャプター開始点を書き込む。
【００５０】
遠隔操作装置１は、スクリーンショットボタンＦが操作されていないと判定したなら（Ｓ５１：Ｎ）、または、映像にチャプター開始点を書き込んだなら（Ｓ５３）、ステップＳ３１に戻る。
【００５１】
なお、ステップＳ３１、Ｓ４１、Ｓ５１については、実行順序を変更しもよい。
【００５２】
遠隔操作装置１は、停止ボタンＪが操作されたと判定したなら（Ｓ２１：Ｙ）、録画再生装置２に停止信号を送信し（Ｓ２７）、終了する。停止信号により、録画再生装置２は、映像の再生を停止（終了）する。つまり、図５のスクリーンショット再生が途中で終了する。
【００５３】
図６は、スクリーンショット再生の具体例を示すタイミングチャートである。ここでは、映像が第１チャプター、第２チャプター、第３チャプターに分割されたこととする。
【００５４】
まず、第１チャプターのチャプター開始点に対応する画像（映像開始点の画像）がＸ秒表示される。
【００５５】
次に、第１チャプターのチャプター開始点以降の部分がＹ秒再生される。
【００５６】
Ｙ秒以降の部分はスキップされ、次に、第２チャプターのチャプター開始点に対応する画像（最初にスクリーンショットボタンＦが操作されたときに表示されていた画像）がＸ秒表示される。
【００５７】
次に、第２チャプターのチャプター開始点以降の部分がＹ秒再生される。
【００５８】
Ｙ秒以降の部分はスキップされ、次に、第３チャプターのチャプター開始点に対応する画像（２番目にスクリーンショットボタンＦが操作されたときに表示されていた画像）がＸ秒表示される。
【００５９】
次に、第３チャプターのチャプター開始点以降の部分が瞬間的に再生される。図３に示すように、チャプター書き込み信号（Ｓ５）と停止信号（Ｓ６）は連続的に送信されるので、最後のチャプター（この例の第３チャプター）の継続時間はごく短いものとなる。よって、Ｙ秒が経過する前に映像終了点に達し、映像開始点から再び、再生が開始される。すなわち、第３チャプターのチャプター開始点以降の部分が瞬間的に再生されるのである。
【００６０】
映像開始点から再び、再生が開始されると、第１チャプターのチャプター開始点に対応する画像（映像開始点の画像）が再びＸ秒表示される。
【００６１】
次に、第１チャプターのチャプター開始点以降の部分が再び、Ｙ秒再生される。
【００６２】
以降、繰り返しなので、説明を省略する。
【００６３】
図７は、他のボタンによる動作を示すフローチャートである。
【００６４】
（ａ）電源ボタンＡが操作されると、電源オン／オフ信号が送信され、録画再生装置２の電源がオンの場合はオフ、オフの場合はオンされる。
【００６５】
（ｂ）入力選択ボタンＢが操作されると、外部入力選択切り替え信号が送信され、録画再生装置２は、外部入力端子の１つを選択し、選択された外部入力端子から入力される映像を録画の対象とする。
【００６６】
（ｃ）チャンネル切り替えボタンＣが操作されると、チャンネル切り替え信号が送信され、録画再生装置２は、テレビの映像信号が選択されている場合は、チャンネルを切り替える。
【００６７】
（ｄ）チャンネルボタンＤの１つが操作されると、該当のチャンネルを示すチャンネル信号が送信され、録画再生装置２は、テレビの映像信号が選択されている場合は、該当のチャンネルに切り替える。
【００６８】
（ｅ）設定ボタンＰが操作され、そのままの状態で、チャンネルボタンＤが操作されると、遠隔操作装置１は、Ｘの値として、チャンネルボタンＤに対応する秒数を設定する。よって、ユーザは、チャプター開始点の画像（スクリーンショット）の表示時間を、例えば、１秒から１２秒の間で変更することができる。
【００６９】
以上のように、本実施の形態では、録画再生装置２は、チャプター書き込み信号を受信したなら、録画中の映像にチャプター開始点を書き込み、停止信号を受信したなら録画を停止し、再生信号を受信したなら映像の再生を開始し、再生一時停止信号を受信したなら再生を一時停止し、スキップ信号を受信したなら受信時に再生されている点より後の最初のチャプター開始点まで再生をスキップするものであり、遠隔操作装置１は、スクリーンショット終了ボタンＫ、スクリーンショット再生ボタンＨ、停止ボタンＪと、録画中にスクリーンショット終了ボタンＫが操作されたなら（Ｓ４：Ｙ）、チャプター書き込み信号を録画再生装置２に送信し、送信後に停止信号を送信する手段（Ｓ５、Ｓ６）と、スクリーンショット再生ボタンＨが操作されたなら、再生信号を送信する手段（Ｓ１７１）と、再生一時停止信号の送信（Ｓ１７２：第１ステップ）、Ｘ秒経過後における再生信号の送信（Ｓ１７４：第２ステップ）、Ｙ秒経過後におけるスキップ信号の送信（Ｓ１７６：第３ステップ）を、第１ステップ、第２ステップ、第３ステップの順で、停止ボタンＪが操作される（Ｓ２１：Ｙ）まで繰り返し行う手段（Ｓ１７２、Ｓ１７４、Ｓ１７６）を備えるので、再生一時停止中の映像（画像）がすなわちスクリーンショットであり、よって、画面メモを用いずにスクリーンショットを表示することができる。
【００７０】
なお、本実施の形態の遠隔操作装置としてコンピュータを機能させるためのコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【００７１】
１  遠隔操作装置
２  録画再生装置
３  表示装置
１１  操作部
１２  赤外線送信部
１３  赤外線信号変換部
１４１１  組み合わせコード送信部
１４１  ＲＯＭ
１４２  フラッシュメモリ
１４３  ＣＰＵ
１４  制御部
１５  電源供給部
Ａ  電源ボタン
Ｂ  入力選択ボタン
Ｃ  チャンネル切り替えボタン
Ｄ  チャンネルボタン
Ｅ  スクリーンショット開始ボタン
Ｆ  スクリーンショットボタン
Ｇ  ポーズボタン
Ｈ  スクリーンショット再生ボタン
Ｊ  停止ボタン
Ｋ  スクリーンショット終了ボタン
Ｌ  録画一覧ボタン
ＭＵ  上方向ボタン
ＭＤ  下方向ボタン
ＭＲ  右方向ボタン
ＭＬ  左方向ボタン
Ｐ  設定ボタン
【図１】
2016076906.tif 000003
【図２】
2016076906.tif 000004
【図３】
2016076906.tif 000005
【図４】
2016076906.tif 000006
【図５】
2016076906.tif 000007
【図６】
2016076906.tif 000008
【図７】
2016076906.tif 000009